(57)【要約】【課題】ファクシミリ呼出信号（ＣＩ信号，１３００Ｈｚ信号など）の種別を検出し、検出結果に応じて着信動作を自動的に設定するファクシミリ装置を提供する。【解決手段】ファクシミリ装置１３は、種別の異なる複数の呼出信号（ＣＩ信号，１３００Ｈｚ信号）に対応し、複数の呼出信号のいずれかを着信させる。ファクシミリ装置１３は、回線１２からの１３００Ｈｚ信号を検出する１３００Ｈｚ検出部１３７と、回線１２からのＣＩ信号を検出するＣＩ検出部１３８と、１３００Ｈｚ検出部１３７あるいはＣＩ検出部１３８で検出した呼出信号の種別（１３００Ｈｚ，ＣＩ信号）に応じて着信動作を設定する制御部１３９とを備える。【選択図】図２
2008259086.tif 000002
【特許請求の範囲】
【請求項１】
種別の異なる複数の呼出信号に対応し、該複数の呼出信号のいずれかを着信させるファクシミリ装置であって、
回線からの呼出信号の種別を検出する信号種別検出手段と、該検出した呼出信号の種別に応じて着信動作を設定する着信動作設定手段とを備えることを特徴とするファクシミリ装置。
【請求項２】
前記信号種別検出手段により検出した信号種別を表示する表示手段と、該表示手段に表示された信号種別で着信動作を設定するかどうかの決定操作を行うための操作手段とを備え、
前記着信動作設定手段は、ユーザが前記操作手段から決定操作を行うと、前記表示手段に表示された信号種別で着信動作を設定することを特徴とする請求項１に記載のファクシミリ装置。
【請求項３】
前記信号種別検出手段は、公衆電話回線からのＣＩ信号、あるいは、ファクシミリ専用回線からの１３００Ｈｚ信号を検出することを特徴とする請求項１又は２に記載のファクシミリ装置。
【請求項４】
前記信号種別検出手段によりＣＩ信号を検出した場合、該ＣＩ信号の検出周波数及び／又はＯＮ／ＯＦＦのタイミングを示すケーデンスに基づいて、前記ＣＩ信号が検出範囲外であるかどうかを判定するＣＩ信号検出範囲判定手段を備え、
前記ＣＩ信号検出範囲判定手段は、前記ＣＩ信号が検出範囲外であると判定した場合、その旨を前記表示手段に表示させ、
前記着信動作設定手段は、ユーザが前記操作手段から決定操作を行うと、前記表示手段に表示された前記ＣＩ信号で着信動作を設定することを特徴とする請求項３に記載のファクシミリ装置。
【請求項５】
種別の異なる複数の呼出信号に対応し、該複数の呼出信号のいずれかを着信させるファクシミリ装置による着信動作設定方法であって、
回線からの呼出信号の種別を検出するステップと、該検出した呼出信号の種別に応じて着信動作を設定するステップとを備えることを特徴とする着信動作設定方法。
【発明の詳細な説明】
【技術分野】
【０００１】
本発明は、ファクシミリ装置及び着信動作設定方法、より詳細には、種別の異なる複数のファクシミリ呼出信号（ＣＩ信号，１３００Ｈｚ信号など）に対応したファクシミリ装置及び該装置による着信動作設定方法に関する。
【背景技術】
【０００２】
ＩＴＵ-Ｔ勧告において、１４．４ｋｂｐｓを超える３３．６ｋｂｐｓまでのモデムの規格がＶ．３４として勧告されている。そして、このＶ．３４をファクシミリ装置の通信手順に適用する規格として、ＩＴＵ-Ｔ勧告Ｔ．３０が規定されている。
【０００３】
ＩＴＵ-Ｔ勧告Ｔ．３０において、着信したファクシミリ装置は、ＡＮＳａｍ信号を相手先のファクシミリ装置に対して所定期間送出し、ＩＴＵ-Ｔ勧告Ｖ．８に準じた通信手順が成立しなかった場合には、所定の無音期間の後、ＮＳＦ信号及びＤＩＳ信号を送出する。このＤＩＳ信号には、ＩＴＵ-Ｔ勧告Ｖ．８に規定する通信手順に基づいて通信する能力があるか否かを示す情報が含まれる。
【０００４】
そして、ＤＩＳ信号を受信した送信側のファクシミリ装置は、ＤＩＳ信号に基づいて受信側のファクシミリ装置にＩＴＵ-Ｔ勧告Ｖ．８に規定する通信能力があるか否かを判断し、その能力があると判断した場合、ＣＩ信号を送出する。このＣＩ信号を受信したファクシミリ装置はＡＮＳａｍ信号を送出した後、ＩＴＵ-Ｔ勧告Ｖ．３４に規定する通信手順に基づいて通信ができるか否かを判断し、通信可能であれば、各ファクシミリ装置間においてＩＴＵ-Ｔ勧告Ｖ．３４に規定する通信手順に基づく通信に移行する（例えば、特許文献１参照）。
【０００５】
上記ＩＴＵ-Ｔ勧告Ｖ．８に規定されるように、一般電話回線を利用するファクシミリ通信の場合、通常１６ＨｚのＣＩ信号が呼出信号として用いられる。
【０００６】
一方、ＮＴＴ（日本電信電話株式会社）からファクシミリ専用回線を利用したＦＡＸサービスが提供されている。このＦＡＸサービスによれば、ＦＡＸを簡単な操作で複数箇所に一斉送信する一斉同報通信機能や、相手先が通話中のときに自動的に再送信する自動再送信機能などを利用することができる。このファクシミリ専用回線を利用するファクシミリ通信の場合、１３００Ｈｚの呼出信号が用いられる。
【０００７】
ファックス機能を有するデジタル複合機（ＭＦＰ）などのファクシミリ装置の中には、種別の異なるＣＩ信号と１３００Ｈｚ信号の両方に対応し、いずれか一方を着信できるようにしたものがある。このようなファクシミリ装置を設置する際、作業担当者は交換機／ＴＡ等からの呼出信号がＣＩ信号か、１３００Ｈｚ信号なのかを調べた上で、それに合わせて、ソフトＳＷの切り換え等によりファクシミリ装置の着信動作を設定していた。
【特許文献１】特開２００２−２１８１９１号公報
【発明の開示】
【発明が解決しようとする課題】
【０００８】
しかしながら、ファクシミリ装置を設置する際の着信動作の設定においては、作業担当者による呼出信号の確認不備や、ファクシミリ装置の設定間違いなどの人為的なミスにより、ファクシミリの着信ができないといったクレームがサービスセンター等に寄せられ、問題になっていた。
【０００９】
本発明は、上述のごとき実情に鑑みてなされたものであり、ファクシミリ呼出信号（ＣＩ信号，１３００Ｈｚ信号など）の種別を検出し、検出結果に応じて着信動作を自動的に設定するファクシミリ装置及び該装置による着信動作設定方法を提供すること、を目的とする。
【課題を解決するための手段】
【００１０】
上記課題を解決するために、本発明の第１の技術手段は、種別の異なる複数の呼出信号に対応し、複数の呼出信号のいずれかを着信させるファクシミリ装置であって、回線からの呼出信号の種別を検出する信号種別検出手段と、検出した呼出信号の種別に応じて着信動作を設定する着信動作設定手段とを備えることを特徴としたものである。
【００１１】
第２の技術手段は、第１の技術手段において、信号種別検出手段により検出した信号種別を表示する表示手段と、表示手段に表示された信号種別で着信動作を設定するかどうかの決定操作を行うための操作手段とを備え、着信動作設定手段は、ユーザが操作手段から決定操作を行うと、表示手段に表示された信号種別で着信動作を設定することを特徴としたものである。
【００１２】
第３の技術手段は、第１又は第２の技術手段において、信号種別検出手段は、公衆電話回線からのＣＩ信号、あるいは、ファクシミリ専用回線からの１３００Ｈｚ信号を検出することを特徴としたものである。
【００１３】
第４の技術手段は、第３の技術手段において、信号種別検出手段によりＣＩ信号を検出した場合、ＣＩ信号の検出周波数及び／又はＯＮ／ＯＦＦのタイミングを示すケーデンスに基づいて、ＣＩ信号が検出範囲外であるかどうかを判定するＣＩ信号検出範囲判定手段を備え、ＣＩ信号検出範囲判定手段は、ＣＩ信号が検出範囲外であると判定した場合、その旨を表示手段に表示させ、着信動作設定手段は、ユーザが操作手段から決定操作を行うと、表示手段に表示されたＣＩ信号で着信動作を設定することを特徴としたものである。
【００１４】
第５の技術手段は、種別の異なる複数の呼出信号に対応し、複数の呼出信号のいずれかを着信させるファクシミリ装置による着信動作設定方法であって、回線からの呼出信号の種別を検出するステップと、検出した呼出信号の種別に応じて着信動作を設定するステップとを備えることを特徴としたものである。
【発明の効果】
【００１５】
本発明によれば、ファクシミリ呼出信号（ＣＩ信号，１３００Ｈｚ信号など）の種別を検出し、検出結果に応じて着信動作を自動的に設定できるため、作業担当者による人為的なミス（例えば、呼出信号の種別を間違える、ファクシミリ装置側の設定を間違える、など）を防止し、着信動作の設定作業を簡単且つ確実に行うことができる。
【発明を実施するための最良の形態】
【００１６】
以下、添付図面を参照しながら、本発明のファクシミリ装置の好適な実施形態について説明する。本発明に係るファクシミリ装置の主たる特徴部分は、ファクシミリ呼出信号（ＣＩ信号，１３００Ｈｚ信号など）の種別を検出し、検出結果に応じて着信動作を自動的に設定することにある。なお、ファクシミリ装置としては、種別の異なる複数のファクシミリ呼出信号に対応した装置であればよく、ファクシミリ機能を備えたデジタル複合機（ＭＦＰ）などであってもよい。
【００１７】
図１は、本発明のファクシミリ装置の公衆電話回線への接続例を説明するための図で、図中、１０は公衆交換電話網（PSTN：Public Switched Telephone Networks）、１１はＴＡもしくはＰＢＸ等の交換機１１（以下、ＴＡ／交換機１１）、１２は回線、１３はファクシミリ装置を示す。ＰＳＴＮ１０に接続されたＴＡ／交換機１１の内線側にファクシミリ装置１３が接続されており、ＴＡ／交換機１１がＰＳＴＮ１０からの呼び出しを受けると、ＴＡ／交換機１１の内線側のファクシミリ装置１３を呼び出すため、回線１２に呼出信号を送出する。このときの呼出信号は、通常の呼出信号（ＣＩ信号）と、ファクシミリ専用回線網の呼出信号（１３００Ｈｚ信号）の２種類が存在する。なお、呼出信号の種別は、これらの種別に限定されるものではなく、種別の異なる複数の呼出信号に対応することができる。
【００１８】
図２は、図１に示すファクシミリ装置１３の内部構成例を示すブロック図である。図中、ファクシミリ装置１３は、操作・表示部１３１、スキャナ部１３２、印字部１３３、画像メモリ部１３４、回線制御部１３５、モデム１３６、１３００Ｈｚ検出部１３７、ＣＩ検出部１３８、及び制御部１３９を備える。
【００１９】
ファクシミリ装置１３は、ファクシミリ専用回線網によるファクシミリ通信を行うためのＧ３，Ｇ４方式のファクシミリ機能と、公衆電話網による通常のファクシミリ通信を行うためのＩＴＵ-Ｔ勧告Ｖ．８に規定されるファクシミリ機能とを備える。ファクシミリ送信する場合、スキャナ部１３２により読み取られた画像データはファクシミリ通信規格で定められている符号化方式（ＭＨ，ＭＲ，ＭＭＲなど）に従って符号化された後、この符号化データが相手先のファクシミリ装置に送信される。この際、画像メモリ部１３４は、スキャナ部１３２で読み取った画像データを必要に応じて記憶する。また、ファクシミリ受信する場合、相手先のファクシミリ装置から受信した符号化データは画像データに復号され、この画像データが印字部１３３から印字出力される。
【００２０】
以下、ファクシミリ装置１３の各部について説明する。
操作・表示部１３１は、ファクシミリ装置１３に係る各種情報を表示するための液晶ディスプレイ（LCD：Liquid Crystal Display）などの表示部と、ファクシミリ装置１３を操作するために必要な各種操作キーやテンキーなどを備えた操作部とから構成される。なお、表示部をタッチパネル方式にすることで、操作部が備える少なくとも一部のキーを表示部と一体的に備えるようにしてもよい。また、操作・表示部１３１は、ＦＡＸの相手先番号を入力したり、シミュレーションモード（後述）に移行するためのキー入力を行い、さらに、後述の図４及び図５に示す各種画面を表示したり、各種設定値を表示することができる。
【００２１】
スキャナ部１３２は、光電変換素子であるＣＣＤ（Charge Coupled Device）などを用いて原稿を読み取り、白黒２値に変換した画像データを出力する。
印字部１３３は、他のファクシミリ装置から受信した画像データを、電子写真方式などにより用紙に印字出力する。
画像メモリ部１３４は、スキャナ部１３２によって読み取られた画像データや、各種の設定値を記憶するための不揮発性メモリである。また、この画像メモリ部１３４には、ファクシミリ装置を動作させるために必要な制御プログラムやデータなどが格納される。
回線制御部１３５は、回線１２の閉結及び開放の動作を行い、自動ダイヤル機能などを備えるハードウェア回路であり、必要に応じてモデム１３６を回線１２に接続する。
モデム１３６は、回線１２に接続され、制御部１３９からの制御に従って、ファクシミリ通信用のＦＡＸモデムとして機能する。
【００２２】
１３００Ｈｚ検出部１３７は、ファクシミリ専用回線網からの呼出信号（１３００Ｈｚ信号）を検出し、その検出結果を制御部１３９に通知する。ＣＩ検出部１３８は、通常の公衆電話網からの呼出信号（ＣＩ信号）を検出し、その検出結果を制御部１３９に通知する。これら１３００Ｈｚ検出部１３７とＣＩ検出部１３８は、本発明の信号種別検出手段に相当し、回線１２からの呼出信号の種別を検出する。
【００２３】
制御部１３９は、ＣＰＵや、該ＣＰＵの作業用領域として使用されるＲＡＭなどで構成され、上述の各部、すなわち、操作・表示部１３１，スキャナ部１３２，印字部１３３，画像メモリ部１３４，モデム１３６，１３００Ｈｚ検出部１３７，及びＣＩ検出部１３８と接続され、これらを制御する。また、制御部１３９は、本発明の着信動作設定手段に相当し、１３００Ｈｚ検出部１３７あるいはＣＩ検出部１３８により検出された呼出信号の種別に応じて着信動作を設定する。具体的には、呼出信号（１３００Ｈｚ信号か、ＣＩ信号か）の検出結果に基づいて、検出した呼出信号を着信できるように設定値を切り換えるなどの処理を行う。なお、各呼出信号に対応した設定値は予め画像メモリ部１３４に記憶されている。
【００２４】
回線１２からの呼出信号が、１３００Ｈｚ検出部１３７あるいはＣＩ検出部１３８で検出された場合、制御部１３９は、モデム１３６を通じて回線１２を捕捉するため、回線制御部１３５に回線１２を閉結するように指示する。回線捕捉後は、モデム１３６によってファクシミリの送受信が行われる。
【００２５】
また、後述の図４に示すように、操作・表示部１３１が、１３００Ｈｚ検出部１３７あるいはＣＩ検出部１３８により検出された呼出信号の種別を表示するようにしてもよい。この場合、操作・表示部１３１は、操作・表示部１３１に表示された信号種別で着信動作を設定するかどうかの決定操作を行うための「ＯＫ」ボタン（及び「キャンセル」ボタン）を表示する。制御部１３９は、ユーザ（すなわち、作業担当者）が「ＯＫ」ボタンを押下して決定操作を行うと、操作・表示部１３１に表示された信号種別で着信動作を設定する。
【００２６】
また、制御部１３９は、本発明のＣＩ信号検出範囲判定手段として機能する。１３００Ｈｚ検出部１３７あるいはＣＩ検出部１３８によりＣＩ信号を検出した場合、ＣＩ信号の検出周波数及び／又はＯＮ／ＯＦＦのタイミングを示すケーデンスに基づいて、ＣＩ信号が検出範囲外であるかどうかを判定する。制御部１３９は、ＣＩ信号が検出範囲外であると判定した場合、後述の図５に示すように、その旨を操作・表示部１３１に表示させ、作業担当者が「ＯＫ」ボタンを押下して決定操作を行うと、操作・表示部１３１に表示されたＣＩ信号及びその検出範囲で着信動作を設定する。
【００２７】
通常、ＣＩ信号の周波数は、１２〜２０Ｈｚ程度が基準値とされ、この範囲に入らないＣＩ信号は検出範囲外と判定される。また、ＣＩ信号のＯＮ／ＯＦＦのタイミングを示すケーデンスは、ケーデンスのＯＮ時間が０．６〜１．５ｓｅｃ程度が基準値とされ、ケーデンスのＯＦＦ時間が０．７〜５．０ｓｅｃ程度が基準値とされる。ケーデンスについても検出周波数と同様に、これらの検出範囲に入らないＣＩ信号は検出範囲外と判定される。なお、図５に示す確認画面は、ＣＩ信号の検出周波数、ケーデンスのＯＮ時間、ＯＦＦ時間のいずれかが検出範囲外であれば、判定結果と共に表示される。
【００２８】
図３は、本発明のファクシミリ装置１３による着信動作設定方法の一例を説明するためのフロー図である。本例は図２に示したファクシミリ装置１３の構成に基づいて説明する。まず、ファクシミリ装置１３を設置する際に、作業担当者が操作・表示部１３１を操作して、ファクシミリ装置１３をシミュレーションモード（呼出信号種別確認モード）に移行させる（ステップＳ１）。作業担当者は、携帯電話機等を用いて、ファクシミリ装置１３を設置した回線１２を呼び出す（ステップＳ２）。
【００２９】
次に、ファクシミリ装置１３は、ＴＡ／交換機からの呼出信号を検出したかどうかを判定し（ステップＳ３）、ＴＡ／交換機からの呼出信号を検出した場合（ＹＥＳの場合）、検出した呼出信号の種別を判定する（ステップＳ４）。また、ステップＳ３において、ＴＡ／交換機からの呼出信号が検出されない場合（ＮＯの場合）、ステップＳ３で処理を繰り返す。
【００３０】
次に、ファクシミリ装置１３は、ステップＳ４における呼出信号の種別判定処理において、その呼出信号が通常のＣＩ信号であるかどうか判定する（ステップＳ５）。呼出信号がＣＩ信号であると判定した場合（ＹＥＳの場合）、そのＣＩ信号がデフォルトの検出範囲内に入っているかどうかを判定する（ステップＳ６）。ここで、検出範囲内であった場合（ＹＥＳの場合）、ファクシミリ装置１３は、操作・表示部１３１に、図４（Ｂ）に示す確認画面を表示させ、通常時のファクシミリ着信動作をＣＩ信号によってのみ許可するかどうか設定の可否を確認する（ステップＳ７）。
【００３１】
ファクシミリ装置１３は、図４（Ｂ）に示す確認画面から、作業担当者により「ＯＫ」ボタンが押下されたかどうかを判定し（ステップＳ８）、「ＯＫ」ボタンが押下されると（ＹＥＳの場合）、ＣＩ信号による着信動作の許可を認識し、通常時のファクシミリ着信動作をＣＩ信号によってのみに設定し、シミュレーションモードの動作を終了する（ステップＳ９）。また、ステップＳ８において、「ＯＫ」ボタンが押下されない場合（ＮＯの場合）、「キャンセル」ボタンが押下されたかどうかを判定し（ステップＳ１０）、「キャンセル」ボタンが押下されると（ＹＥＳの場合）、着信動作の設定を変更せずに、そのまま終了する。また、ステップＳ１０において、「キャンセル」ボタンが押下されないと（ＮＯの場合）、ステップＳ８に戻り処理を繰り返す。
【００３２】
また、ファクシミリ装置１３は、ステップＳ５において、呼出信号がＣＩ信号でないと判定した場合（ＮＯの場合）、その呼出信号が１３００Ｈｚ信号であるかどうか判定する（ステップＳ１１）。呼出信号が１３００Ｈｚ信号であると判定した場合（ＹＥＳの場合）、ファクシミリ装置１３は、操作・表示部１３１に、図４（Ａ）に示す確認画面を表示させ、通常時のファクシミリ着信動作を１３００Ｈｚ信号によってのみ許可するかどうか設定の可否を確認する（ステップＳ１２）。
【００３３】
ファクシミリ装置１３は、図４（Ａ）に示す確認画面から、作業担当者により「ＯＫ」ボタンが押下されたかどうかを判定し（ステップＳ１３）、「ＯＫ」ボタンが押下されると（ＹＥＳの場合）、１３００Ｈｚ信号による着信動作の許可を認識し、通常時のファクシミリ着信動作を１３００Ｈｚ信号によってのみに設定し、シミュレーションモードの動作を終了する（ステップＳ１４）。また、ステップＳ１３において、「ＯＫ」ボタンが押下されない場合（ＮＯの場合）、「キャンセル」ボタンが押下されたかどうかを判定し（ステップＳ１５）、「キャンセル」ボタンが押下されると（ＹＥＳの場合）、着信動作の設定を変更せずに、そのまま終了する。また、ステップＳ１５において、「キャンセル」ボタンが押下されないと（ＮＯの場合）、ステップＳ１３に戻り処理を繰り返す。
【００３４】
また、ファクシミリ装置１３は、ステップＳ１１において、呼出信号が１３００Ｈｚ信号でないと判定した場合（ＮＯの場合）、そのまま終了する。ここで、１３００Ｈｚ信号の場合、±２０Ｈｚが検出範囲とされるため、ステップＳ１１において、この検出範囲に入らない信号は、ＣＩ信号でも、１３００Ｈｚ信号でもないと判定され、これら以外のノイズ等と見なされる。
【００３５】
また、ファクシミリ装置１３は、ステップＳ６において、ＣＩ信号であって、且つＣＩ信号が検出範囲内ではないと判定した場合（ＮＯの場合）、操作・表示部１３１に、図５に示す確認画面を表示させ、ＣＩ信号の検出波形、検出周波数、ケーデンス時間（ＯＮ時間，ＯＦＦ時間）を表示し、通常時のファクシミリ着信動作をこの条件のＣＩ信号によって許可するかどうか設定の可否を確認する（ステップＳ１５）。
【００３６】
ファクシミリ装置１３は、図５に示す確認画面から、作業担当者により「ＯＫ」ボタンが押下されたかどうかを判定し（ステップＳ１６）、「ＯＫ」ボタンが押下されると（ＹＥＳの場合）、ＣＩ信号による着信動作の許可を認識し、通常時のファクシミリ着信動作をＣＩ信号によってのみに設定すると共に、ＣＩ信号の検出範囲を変更し、シミュレーションモードの動作を終了する（ステップＳ１７）。また、ステップＳ１６において、「ＯＫ」ボタンが押下されない場合（ＮＯの場合）、「キャンセル」ボタンが押下されたかどうかを判定し（ステップＳ１８）、「キャンセル」ボタンが押下されると（ＹＥＳの場合）、着信動作の設定を変更せずに、そのまま終了する。また、ステップＳ１８において、「キャンセル」ボタンが押下されないと（ＮＯの場合）、ステップＳ１６に戻り処理を繰り返す。
【００３７】
図４は、操作・表示部１３１に表示される呼出信号の確認画面の一例を示す図である。図４（Ａ）は、図３に示すステップＳ１２において操作・表示部１３１に表示される確認画面の一例を示し、１３００Ｈｚ信号が検出された場合の画面例である。また、図４（Ｂ）は、図３に示すステップＳ７において操作・表示部１３１に表示される確認画面の一例を示し、ＣＩ信号が検出された場合の画面例である。
【００３８】
図５は、図３に示すステップＳ１５において操作・表示部１３１に表示される確認画面の一例を示す図である。図３に示すステップＳ６において、ＣＩ信号が検出範囲外であった場合、操作・表示部１３１に、検出波形、検出周波数、ケーデンス時間（ＯＮ時間，ＯＦＦ時間）を表示し、作業担当者は、この確認画面から、通常時のファックス着信動作をこの条件のＣＩ信号によって許可するかどうかを決定する。なお、前述したように、ＣＩ信号の周波数は１２〜２０Ｈｚ程度が基準値とされ、ＣＩ信号のケーデンスのＯＮ時間は０．６〜１．５ｓｅｃ程度が基準値とされ、ケーデンスのＯＦＦ時間は０．７〜５．０ｓｅｃ程度が基準値とされる。従って、本例の場合、検出周波数がＮＧ(２４Ｈｚで検出範囲外)、ケーデンスのＯＮ時間がＮＧ（０．５０ｓｅｃで検出範囲外）、ケーデンスのＯＦＦ時間がＯＫ（２．０５ｓｅｃで検出範囲内）と判定される。
【００３９】
ここで、ＣＩ信号と１３００Ｈｚ信号の波形の一例を図６に示す。図６（Ａ）はＣＩ信号の波形を示し、図６（Ｂ）は１３００Ｈｚ信号の波形を示す。前述したように、ＣＩ信号はＣＩ検出部１３８によって検出され、１３００Ｈｚ信号は１３００Ｈｚ検出部１３７によって検出される。
【００４０】
以上説明したように、本発明によれば、ファクシミリ呼出信号（ＣＩ信号，１３００Ｈｚ信号など）の種別を検出し、検出結果に応じて着信動作を自動的に設定できるため、作業担当者による人為的なミス（例えば、呼出信号の種別を間違える、ファクシミリ装置側の設定を間違える、など）を防止し、着信動作の設定作業を簡単且つ確実に行うことができる。
【図面の簡単な説明】
【００４１】
【図１】本発明のファクシミリ装置の公衆電話回線への接続例を説明するための図である。
【図２】図１に示すファクシミリ装置の内部構成例を示すブロック図である。
【図３】本発明のファクシミリ装置による着信動作設定方法の一例を説明するためのフロー図である。
【図４】操作・表示部に表示される呼出信号の確認画面の一例を示す図である。
【図５】図３に示すステップＳ１５において操作・表示部に表示される確認画面の一例を示す図である。
【図６】ＣＩ信号と１３００Ｈｚ信号の波形図である。
【符号の説明】
【００４２】
１０…公衆交換電話網（ＰＳＴＮ）、１１…ＴＡ／交換機、１２…回線、１３…ファクシミリ装置、１３１…操作・表示部、１３２…スキャナ部、１３３…印字部、１３４…画像メモリ部、１３５…回線制御部、１３６…モデム、１３７…１３００Ｈｚ検出部、１３８…ＣＩ検出部、１３９…制御部。
【図１】
2008259086.tif 000003
【図２】
2008259086.tif 000004
【図３】
2008259086.tif 000005
【図４】
2008259086.tif 000006
【図５】
2008259086.tif 000007
【図６】
2008259086.tif 000008